(57)【要約】【課題】限定地域内に特定の目的を持って集まる人間のその目的を、さらに満足させるリアルタイム放送の提供と、その放送に連動して可能となる販売促進法の実践。【解決手段】コンピュータに限定範囲内で合法的に利用可能な、モバイラーが持つ通信装置の受信（受光）ロジックに対応する発信（発光）装置と、インターネットを介して管理サーバを選択的に設けることで、ｗｅｂサイト叉は携帯ｗｅｂサイト上に用意された各々の限定場所でのリアルタイム放送がモバイラーに提供され、さらに前記管理サーバに価格変更やリアルタイムＣＭ情報等のリアルタイム販売促進情報が送信されることで、その瞬間、前記コンピュータ付近にいる顧客に各種の販売促進情報がリアルタイムで確実に提供される。【選択図】図２
2004187249.tif 000002
【特許請求の範囲】
【請求項１】
限定地域内でのリアルタイム放送システムであって、
コンピュータが音声、文字、動画情報からなるメディアソースを選択し、前記コンピュータに限定範囲内で合法的に利用可能な、通信装置の受信（受光）ロジックに対応する発信（発光）装置を選択的に設け、複数の前記発信（発光）装置を近接する場所に設置することで、該通信装置にピンポイントで異なるメディアソースをオンエア配信できる放送環境の構築を特徴とする方法。
【請求項２】
請求項１記載の方法であって、
該発信（発光）装置がデジタル通信装置に対応するＰＨＳ、ＩＭＴ−２０００、ＩＥＥＥ８０２．１１Ｘ、及びＨＩＰＥＲＬＡＮ／２の無線ＬＡＮ、ブルートゥース、ＭＭＡＣ、ＨｏｍｅＲＦ、ＦＷＡ、ＳＨＦ、アナログ通信装置に対応するＬＦ、ＭＦ、ＨＦ、ＶＨＦ、ＵＨＦ、さらに赤外線の中の一の発信ロジックを持つことで、該通信装置がデジタル、非デジタルの種類を問わず特定地域内で放送できることを特徴とする方法。
【請求項３】
請求項１または２記載の方法であって、
該コンピュータがメディアソースとして、デジタル信号を用いるデジタル放送を、該コンピュータに選択的に設けられたデジタル放送用チューナー、またはインターネットを介して選択し、該発信（発光）装置を非デジタル対応ロジックとすることで、該通信装置がアナログ端末であっても前記デジタルメディアソースをオンエア視聴（聴取）できることを特徴とする方法。
【請求項４】
請求項１または２記載の方法であって、
該コンピュータがメディアソースとして、アナログ信号を用いるアナログ放送を、該コンピュータに選択的に設けられた高感度なアナログ放送用チューナー、またはインターネットを介して選択することで、特定範囲内でのアナログ放送の視聴（聴取）環境の改善、または該放送がカバーする放送エリアに制約されない放送を特徴とする方法。
【請求項５】
請求項１または２記載の方法であって、
該コンピュータがメディアソースとして、インターネットを介して選択的に設けた管理サーバに接続することで、ｗｅｂサイト、または携帯ｗｅｂサイト上にある、すべてのコンテンツが持つメディアデータを使用しての多種多様な種類の放送形態が実現されることを特徴とする方法。
【請求項６】
請求項１〜５のいずれか１項に記載の方法であって、
該通信装置がワイヤレス携帯端末であり、該ワイヤレス携帯端末が前記メディアソースを限定範囲内で再生し、該ワイヤレス携帯端末が限定範囲外に出ると、第三の限定範囲内で配信中の第三のメディアソースを該ワイヤレス携帯端末がチャンネル、及び周波数の変更を伴わずシームレスに再生可能な放送環境を特徴とする方法。
【請求項７】
請求項１〜５のいずれか１項に記載の方法であって、
該通信装置がワイヤレス携帯端末Ａであり、前記ワイヤレス携帯端末Ａが前記メディアソースを受信（受光）し、該ワイヤレス携帯端末Ａが受信（受光）信号を増幅し、前記増幅された信号を該ワイヤレス携帯端末Ａ周辺にある同種の通信ロジックを持つ別のワイヤレス携帯端末Ｂに向けて発信し、前記ワイヤレス携帯端末Ｂが、同様に前記ワイヤレス携帯端末Ｂ周辺にある同種の通信ロジックを持つワイヤレス携帯端末Ｃにメディアソースを増幅、発信する該ワイヤレス携帯端末同士によるリレー式受発信が連続的に行われることで、比較的広い範囲での放送が実行できることを特徴とする方法。
【請求項８】
請求項５記載の方法であって、
該通信装置を、該管理サーバとインターネットを介して結ばれている情報提供コンピューターとの間でリアルタイムでの情報交換が可能なインスタントメッセンジャー機能のソフトを備えたワイヤレス携帯端末、及びインターネットプロトコル対応のワイヤレス携帯端末とすることで、該ワイヤレス携帯端末にプッシュでメディアデータを配信することを特徴とする方法。
【請求項９】
請求項５記載の方法と連動して実行される、リアルタイムにマルチメディアで展開される販売促進法であって、
限定地域で商品やサービスを顧客に提供販売する店舗もしくは施設（以下店舗と総称する）に設置されている該コンピュータからインターネットを介して管理サーバにリアルタイム販売促進情報が記録され、前記管理サーバには配信情報データを記録した配信情報データベースが備えられており、該管理サーバが前記リアルタイム販売促進情報に対応する既存の販売促進情報を前記配信情報データベースから抽出し、該コンピュータに記憶されている既存の販売促進情報を前記リアルタイム販売促進情報に書き換え、前記書き換えられたリアルタイム販売促進情報が前記ワイヤレス携帯端末の種類に応じて音声、文字、映像のマルチメディアで、その瞬間、該店舗付近にいる顧客に確実に提供されることを特徴とする方法。
【請求項１０】
請求項９記載の方法であって、
上記書き換えられる販売促進情報がリアルタイムでの価格変更（ディスカウント）情報であり、前記価格変更情報が該店舗付近にいる顧客に提供されると同時に、該コンピュータに選択的に設けられた該店舗内の電子価格表示板に前記価格変更情報がリアルタイムで表示されることで、上記ワイヤレス携帯端末を持たない該店舗内にいる顧客へ、リアルタイムで価格変更を告知できること特徴とする方法。
【請求項１１】
請求項９記載の方法であって、
上記変更される販売促進情報が、リアルタイムで広告主が顧客に訴求したいＣＭ情報であり、該管理サーバがリアルタイムＣＭ挿入記憶手段からリアルＣＭ配信に切り替え、前記リアルＣＭ配信切り替え手段によって切り替えられたリアルタイムＣＭが、その瞬間、該店舗付近にいる顧客に最高のタイミングで提供されることを特徴とする方法。
【請求項１２】
請求項１０記載の方法であって、
前記ディスカウント商品を最低価格より高く購入した顧客をリピーターとして獲得するために、前記商品購入時に、前記顧客の氏名と購入金額が、前記店舗の該コンピュータからインターネットを介して前記管理サーバのポイント情報データベースと顧客情報データベースに記録される。それより後に、前記管理サーバに前記最低価格決定情報が入力されることをトリガーに、前記管理サーバが該顧客の購入金額と最低販売価格の価格差を獲得ポイントとして計算し、前記管理サーバが顧客情報データベースから該顧客情報を取得し、該顧客情報に対応する既存ポイントに前記獲得ポイントを加算し、前記獲得ポイントを加えた新しい合計ポイントに対応する次回購入時の値引き価格を計算するポイントサービスを特徴とする方法。
【請求項１３】
請求項１２記載の方法であって、
前記商品購入時に、前記顧客の氏名と購入金額に加えて、該顧客の携帯端末のメールアドレスが前記店舗の該コンピュータからインターネットを介して前記管理サーバの顧客情報データベースに記録され、前記管理サーバが請求項１２の値引き価格を該携帯端末に表示することで該顧客に値引き情報を訴求し、該顧客が同表示を提示することで前記値引きが実行されることを特徴とする方法。
【請求項１４】
請求項１２記載の方法であって、
上記ポイントサービス情報が、該顧客固有のポイントサービスカードに記録され、該顧客が前記ポイントサービスカードを提示しての購入の際に、前記値引き情報が実行されることを特徴とする方法。
【請求項１５】
請求項１２記載の方法であって、
上記ポイントカードを提出して購入する顧客に対して、上記顧客のレシートまたは他の紙片に、次回購入時に値引きが実行される旨の告知、及び実際に値引きされる金額が通常の色とは異なる色の文字で印刷されることで、レシートそのものをリピーターを獲得する媒体に変えることを特徴とする方法。
【発明の詳細な説明】
【０００１】
【発明の属する技術分野】本発明は、スポーツ観戦、ショッピング、コンベンション、観光、空港、イベントその他、特定の目的をもって人間が集まる限定地域内で実施されるリアルタイム放送システムと、そのリアルタイム放送に連動して実現可能な、リアル世界でのダイナミックな価格変更を含む販売促進システムにに関する。
【０００２】
【従来の技術及び発明が解決しようとする課題】一般的な電波放送は、広範囲、かつ不特定多数の人間に視聴（聴取）されることを主目的に利用されている技術であり、物理的に限定されている特定地域で、モバイル環境にあるオーディエンスに特化した内容の放送を配信するシステムではない。
【０００３】地上波デジタルテレビ放送、地上波デジタルラジオ放送、デジタル衛星放送等のデジタル放送は、多数のチャンネル、周波数を持てるため限定地域内に絞り込んだ放送を実施できる可能性があるが、それらの番組を視聴（聴取）するデジタル機器は高額であり、普及には時間を要することが予想される。
【０００４】既存の地上波放送は、一般的に同一チャンネル、周波数で同じ時刻に一種類の番組しか堤供できず、それぞれの放送範囲も面的にカバーされるだけであり、隣接する場所に各々異なる内容の番組をピンポイントで配信することは不可能である。
【０００５】インターネットラジオ放送、インターネットテレビ放送は多種多様なコンテンツを提供するが、これをモバイル環境で視聴（聴取）するには、高額な携帯端末、通信費等の問題が存在する。
【０００６】携帯向けＷｅｂサイトからのブラウザフォンへのプッシュ型情報提供は技術的には実現可能だが、それが市場で大きく受け入れられるキラーコンテンツ案は見られない。
【０００７】コミュニティーＦＭ放送は限定された地域での放送に適するが、特定の目的を持って人間が集まっている場所と、同放送が実施されている場所とが一致するとは限らない。
【０００８】再生装置に無線発信部を取り付けて個人的に放送を行うミニＦＭ局の存在は古くから知られており、ミニＦＭ局がウェブサイト上のインターネットラジオや音楽コンテンツを利用して放送する形態は、特開２００２−３２４１８９号公報が示す無線情報通信システムのうち、音声データを扱うものの一例である。しかしながら、ミニＦＭ局及び特開２００２−３２４１８９号公報が示す無線情報通信システムのいずれもが放送を発信するまでのシステムであり、同形態の放送が社会的に存在価値を持つ媒体となるためには、その放送がひとりひとりのモバイラーが持つ受信端末に向けて行われる受信システムとの一体化が不可欠である。
【０００９】独立行政法人産業技術総合研究所が開発した赤外線通信を利用する「無電源小型通信端末（Ｃｏｂｉｔ）による位置に基づく情報支援システム」は、端末の位置と方向に基づいての音声情報の発信を可能とする技術であるが、音楽等のエンタティメントを提供するクオリティには至っていない。
【００１０】音声放送を受信可能なウェアラブルタイプの端末が安価に制作可能な現状において、それを有効に生かす放送システムは存在しない。
【００１１】既存の放送における広告は、不特定多数の人間に広く情報を伝えるには適しているが、小ロットでターゲットを明確にしたピンポイントプロモーションには適していない。
【００１２】売れ行き、在庫、空席状況等に応じてのディスカウント、さらにはリアル世界でのダイナミックな価格変更を可能とする販売促進法は存在しない。本発明はこれらの課題を解決することを目的とする。
【００１３】
【課題を解決するための手段】本発明は、特定の場所に特定の目的を持って集まるモバイラーに、その場において極めて付加価値の高いライブ情報をエンタティメント性も加味して提供する番組、及び広告からなる放送を、モバイラーが持つワイヤレス端末の種類を問わず、その時点で最も現実的な手段で提供することによって、上記問題を解決する。
【００１４】モバイラー自身が所有するワイヤレス携帯端末を活用してこの放送は視聴（聴取）されるほか、この放送が展開される場所、及びその時点での技術的、経済的側面から最も現実的な携帯端末が、その場所にいるモバイラーに販売、配付またはレンタルされることで、この放送システムは構築される。
【００１５】本発明は、コンピュータが音声、文字、動画情報からなるメディアソースを選択し、前記コンピュータに限定範囲内で合法的に利用可能な、通信装置の受信（受光）ロジックに対応する発信（発光）装置を選択的に設け、複数の前記発信（発光）装置を近接する場所に設置することで、該通信装置にピンポイントで異なるメディアソースをオンエア配信できる放送環境を構築する限定地域内でのリアルタイム放送である。
【００１６】また本発明は、該発信（発光）装置が、デジタル通信装置に対応するＰＨＳ、ＩＭＴ−２０００、ＩＥＥＥ８０２．１１Ｘ、及びＨＩＰＥＲＬＡＮ／２の無線ＬＡＮ、ブルートゥース、ＭＭＡＣ、ＨｏｍｅＲＦ、ＦＷＡ、ＳＨＦ、またはアナログ通信装置に対応するＬＦ、ＭＦ、ＨＦ、ＶＨＦ、ＵＨＦ、さらに赤外線の中の一の発信ロジックを持つことで、該通信装置がデジタル、非デジタルの種類を問わず特定地域内で放送できる限定地域内でのリアルタイム放送である。
【００１７】そして本発明は、該コンピュータがメディアソースとして、デジタル信号を用いるデジタル放送を、該コンピュータに選択的に設けられたデジタル放送用チューナー、またはＣＡＴＶ、インターネットを介して選択し、該発信（発光）装置をアナログ対応ロジックとすることで、該通信装置がアナログ端末であっても前記デジタルメディアソースをオンエア視聴（聴取）できる限定地域内でのリアルタイム放送である。
【００１８】更に本発明は、該コンピュータがメディアソースとして、アナログ信号を用いる放送を、ＣＡＴＶ、またはインターネットを介して選択することで、特定範囲内でのアナログ放送の視聴（聴取）環境の改善、または該放送カバー範囲に制約されない限定地域内でのリアルタイム放送である。
【００１９】また本発明は、該コンピュータがメディアソースとして、インターネットを介して選択的に設けた管理サーバに接続することで、ｗｅｂサイト、または携帯ｗｅｂサイト上にあるすべてのコンテンツが持つメディアデータを使用しての多種多様な種類の放送形態が実現される、限定地域内でのリアルタイム放送である。
【００２０】そして本発明は、該通信装置がワイヤレス携帯端末であり、該ワイヤレス携帯端末が前記メディアソースを限定範囲内で再生し、該ワイヤレス携帯端末が限定範囲外に出ると、第三の限定範囲内で配信中の第三のメディアソースを該ワイヤレス携帯端末がチャンネル、及び周波数の変更を伴わずシームレスに再生可能な限定地域内でのリアルタイム放送である。
【００２１】更に本発明は、該通信装置がワイヤレス携帯端末Ａであり、前記ワイヤレス携帯端末Ａが前記メディアソースを受信（受光）し、該ワイヤレス携帯端末Ａが受信（受光）信号を増幅し、前記増幅された信号を該ワイヤレス携帯端末Ａ周辺にある同種の通信ロジックを持つ別のワイヤレス携帯端末Ｂに向けて発信し、前記ワイヤレス携帯端末Ｂが、同様に前記ワイヤレス携帯端末Ｂ周辺にある同種の通信ロジックを持つワイヤレス携帯端末Ｃにメディアソースを増幅、発信する該ワイヤレス携帯端末同士によるリレー式受発信が連続的に行われることで、比較的広い範囲での放送が実行できる限定地域内でのリアルタイム放送である。
【００２２】また本発明は、該通信装置を、該管理サーバとインターネットを介して結ばれている情報提供コンピューターとの間でリアルタイムでの情報交換が可能なインスタントメッセンジャー機能のソフトを備えた携帯電話、及びインターネットプロトコル対応のワイヤレス携帯端末とすることで、該携帯電話にプッシュでメディアデータを配信するワイヤレス携帯端末で実現する限定地域内でのリアルタイム放送である。
【００２３】そして本発明は、限定地域の店舗に設置された該コンピュータからインターネットを介して管理サーバにリアルタイム販売促進情報が記録され、前記管理サーバには配信情報データを記録した配信情報データベースが備えられており、該管理サーバが前記リアルタイム販売促進情報に対応する既存の販売促進情報を前記配信情報データベースから抽出し、該コンピュータに記憶されている既存の販売促進情報を前記リアルタイム販売促進情報に書き換え、前記書き換えられたリアルタイム販売促進情報が前記ワイヤレス携帯端末の種類に応じて音声、文字、映像のマルチメディアで、その瞬間、該店舗付近にいる顧客に確実に提供されることを特徴とする販売促進方法である。
【００２４】更に本発明は、上記変更される販売促進情報がリアルタイムでの価格変更（ディスカウント）情報であり、前記価格変更情報が該店舗付近にいる顧客に提供されると同時に、該コンピュータに選択的に設けられた該店舗内にある電子価格表示板に前記価格変更情報がリアルタイムで表示されることで、上記ワイヤレス携帯端末を持たない、該店舗内にいるリアルな顧客にもコンテクスト・マーケティングが図れる限定地域内でのリアルタイム放送で実現する販売促進方法である。
【００２５】また本発明は、前記ディスカウント製品を最低価格より高く購入した顧客をリピーターとして獲得するために、前記顧客の氏名と購入金額が、前記店舗の該コンピュータからインターネットを介して前記管理サーバに記録され、前記購入金額と最低販売価格の価格差によって決定されるポイントが自動計算され、前記管理サーバが顧客リスト記憶手段から贈与ポイントの贈答先アドレスを取得し、前記贈与ポイントを顧客リスト記憶手段のポイントに加算し、前記ポイントの贈与を贈答先の顧客が持つ携帯端末が文字データを表示可能な端末なら、前記製品時に取得、顧客リスト記憶手段に保存されている該携帯端末メールアドレスを用いて顧客の端末に連絡する告知法とポイントサービス、及び前記ポイントの贈与を前記管理サーバの顧客ポイントカードの獲得ポイントデータに積算し、該顧客からの要求によって表示する告知法とポイントサービスを持つ、限定地域内でのリアルタイム放送で実現する販売促進方法である。
【００２６】そして本発明は、上記変更される販売促進情報が、リアルタイムで広告主が顧客に訴求したいＣＭ情報であり、該管理サーバがリアルタイムＣＭ挿入記憶手段からリアルＣＭ配信に切り替え、前記リアルＣＭ配信切り替え手段によって切り替えられたリアルタイムＣＭが、顧客が持つ端末にマルチメディアでプッシュ型で配信されることで、その瞬間、該店舗付近にいる顧客に最高のタイミングでリアルＣＭが確実に提供され、さらにそのＣＭの効果が広告主に目に見える形で示される、限定地域内でのリアルタイム放送で実現する販売促進方法である。
【００２７】
【発明の実施の形態】本発明の実施例を図面に基づいて詳細に説明する。
（１）図１において、限定範囲−Ａ／Ｂ内外に設置されたコンピュータ１ａ／１ｂは、ＤＶＤ、ＣＤ、ＨＤプレーヤー等の各種記録媒体再生装置２ａ／２ｂとの接続、或いはデジタルまたはアナログ放送用チューナー６ａ／６ｂとの接続によって記録媒体、及びデジタル、アナログ放送から各種のメディアデータを得ることができる。コンピュータ１ａ／１ｂに、限定範囲−Ａ／Ｂ内で合法的に利用可能な、通信装置４の受信（受光）ロジックに対応した電波や光５を発信（発光）する装置３ａ／３ｂを接続すると、極めて近接する複数の通信装置４ａ／４ｂにピンポイントで異なるメディアソースをオンエア配信可能な放送環境が構築され、これは請求項１に該当する。
【００２８】（２）図２において、該発信（発光）装置３の発信ロジックがホットスポットで使用されているＩＥＥＥ８０２．１１Ｘやブルートゥースなどのデジタル通信装置（図示なし）、ＦＭ、及び赤外線等のアナログ通信装置（図示なし）に対応するものの一つとすることで、該通信装置がデジタル、非デジタルの種類を問わず放送の受信を可能とする。
【００２９】さらに限定地域内外に設置されたコンピュータ１が放送用チューナー６、またはインターネット７を介してデジタル放送によるメディアソースを得、該発信装置３からアナログ通信装置４のひとつであるウェアラブルＦＭラジオ１０ａが受信可能なＦＭ電波を発信することで、通信装置がアナログ端末であってもデジタルメディアソースをオンエアで視聴できることになり、上記００２８と合わせてこれらは請求項２及び３に該当する。
【００３０】また限定地域内外に設置されたコンピュータ１が高性能放送用チューナー６、またはインターネット７を介してコミュニティーＦＭ放送などの低出力電波の放送（図表記省略）によるメディアソースを得、該発信装置３から前記ウェアラブルＦＭラジオ１０ａ等が受信可能なＦＭ電波を発信することで、低出力放送の聴き取り難さの解消や放送カバー範囲の拡大等、放送環境の改善が可能となり、さらに放送カバー範囲とは全く異なる地域において、前記放送がリアルタイムで聴取できることになり、これは請求項４に該当する。
【００３１】そして該コンピュータ１が、インターネット７を介して管理サーバ８に繋がると、ｗｅｂサイト、または携帯ｗｅｂサイト上にあるすべてのコンテンツ９のメディアデータが該コンピュータ１によって管理サーバ８を通して選択され、配信情報（メディアソース）データベース８ａを経由して放送可能となる。この結果、限定地域内にいるモバイラーの目的を満足させるようなリアルタイム放送がインターネット７を介して、ｗｅｂサイト、または携帯ｗｅｂサイト上にアップされることで、さまざまな限定場所に対応する各種のリアルタイム放送が可能となり、これは請求項５に該当する。
【００３２】さらに該通信装置が各種のワイヤレス携帯端末１０ａ／１０ｂとした場合、各種のメディアソース１１を限定範囲−Ｃ内で再生していたワイヤレス携帯端末１０ａ／１０ｂが限定範囲−Ｃ外に出て、第三の限定範囲−Ｄ内に入る１３と、前記ワイヤレス携帯端末１０ａ／１０ｂは、同様の放送システムの実施によって第三の限定範囲−Ｄ内で配信されている第三のメディアソース１２を、チャンネル、及び周波数の変更を伴わずシームレスに再生できることになり、これは請求項６に該当する。
【００３３】（３）図３において、ワイヤレス携帯端末をウェアラブルＦＭラジオ１４〜１６、ブラウザフォン１７〜１９とし、それぞれのワイヤレス携帯端末Ａ１４／１７が前記メディアソース１１を受信（受光）すると、各ワイヤレス携帯端末Ａ１４／１７が受信（受光）信号を増幅し、その増幅信号を周辺にある同種の通信ロジックを持つ別のワイヤレス携帯端末Ｂ１５／１８に向けて発信する。ワイヤレス携帯端末Ｂ１５／１８も同様に、周辺にある同種の通信ロジックを持つワイヤレス携帯端末Ｃ１６／１９に向けてメディアソースを増幅、発信するアドホック通信が行われることで、比較的広い範囲で放送が行えることになり、これは請求項７に該当する。
【００３４】該通信装置が、プッシュでメディアソースを受信できるブラウザフォン２０ａの場合、インターネット７を介して該管理サーバ８が配信情報（メディアソース）データベース８ａから該当する限定場所の放送を選んで、前記ブラウザフォン２０ａにプッシュ配信、またはインターネットプロトコル対応のワイヤレス携帯端末２０ｂの場合、最寄りの基地局から該放送をプルして受信することでリアルタイム放送配信を実現させる。これは請求項８に該当する。
【００３５】（４）図４において、管理サーバ８には販売促進情報が記録、保存されている配信情報（販促情報）データベース８ｂが備えられている。いま該店舗舗サイドに、リアルタイムで顧客に伝えたいリアルタイム販売促進情報２１が発生した場合、店舗内外にある該コンピュータ１からインターネット７を介して、該管理サーバ８にリアルタイム販売促進情報２１が送信される。
【００３６】該管理サーバ８は、送信されたリアルタイム販売促進情報２１に対応応する既存の販売促進情報を、前記配信情報データベース８ｂから抽出し、該コンピュータ１に記憶されている既存の販売促進情報を最新のリアルタイム販売促進情報２１に書き換え、この書き換えられた最新のリアルタイム販売促進情報２１が、前記ワイヤレス携帯端末の種類に応じて音声２１ａ、文字２１ｂ、映像のマルチメディアデータ情報として、その瞬間、該店舗付近にいるワイヤレス携帯端末１４／２０を持った該店舗の潜在顧客２２に、店舗サイドがリアルタイムで伝えたい情報が確実に提供される。
【００３７】図３に示した各種の端末のうち、ウェアラブルＦＭラジオ１４を身に付けた顧客２２は音声データ２１ａで、液晶が付いた各種端末２０ａ／２０ｂをもつ顧客２２は、音声２１ａと文字２１ｂの双方で価格変更（ディスカウント）情報が入手できる。
【００３８】さらに、上記の価格変更（ディスカウント）情報を、ワイヤレス携帯端末を持たない、該店舗内にいるリアルな顧客２３にもリアルタイムで提供するために、該当商品と並んで店舗内にいる顧客２３の目に付く場所に設置された電子価格表示板２４と該コンピュータ１が接続されることで、上記価格変更（ディスカウント）情報がリアルタイムで該店舗内にいるリアルな顧客にも提供される。これら一連の販促方法は請求項９乃至請求項１０に該当し、これはコンテクスト・マーケティングを具現化させる方法である。
【００３９】この価格変更情報を、たとえば小売店で実施し、ほとんどの商品にこれを応用した場合、商品の在庫状況や売れ行きを見ながら、それらの情報をリアルタイム販売促進情報２１として管理サーバ８に入力すると、配信情報（販促情報）データベース８ｂに記録されていた在庫数、売れ行き、空席に合わせた価格変更が常に可能になり、リアル世界でのダイナミックな価格変更という、定価販売が一般的となっている従来の概念を大きく変化させ、在庫の問題を解消させる販売法ともなり得る。
【００４０】また、この価格変更情報を、たとえば映画館や劇場などへの応用を考えた場合、上映（開演）までの残り時間と空席状況をリアルタイム販売促進情報２１として管理サーバ８に入力することで、上映開始時間が迫っても空席が埋まらない場合、空席が無くなるまでじょじょに値段を下げていく販促法が実践できる。
【００４１】さらに、この価格変更情報の飲食店への応用法としては、客が混む食事時と、それ以外の時間帯とで同メニューの価格をダイナミックに変えていくことで、空席率を下げていく。この場合、リアルタイム販売促進情報２１として、空席率と食材の仕入れ状況等のデータが入力され、空席率が高いとメニューの価格が下げられ、当日の仕入れが多い食材を使ったメニューの価格は下げられるというように、日々の状況、刻々かわる状況を反映した価格構成が実現する。
【００４２】なお、上記各種の価格変更によって不利益を感じる顧客（高いタイミングで同一商品、チケット、メニューを購入したと感じる顧客）へのフォローアップに関しては、後述する図５の説明にある方法によってこれを解決する。
【００４３】さらに店舗サイドが、顧客に訴求したい情報を突発的に思い付いた場合でも、リアルタイム販売促進情報２１として管理サーバ８にリアルタイムＣＭを入力することで、配信情報（販促情報）データベース８ｂに記録されていたリアルタイムＣＭ挿入記憶手段からリアルＣＭ配信に切り替え、「１０分後のタイムバーゲン」や「スペシャルランチ」情報などが顧客が持っている端末１４／２０に合わせて音声、音声と文字、さらに音声と文字と動画も含む映像というマルチメディアによってそれらのリアルタイムＣＭが、該店舗付近にいる顧客２２に最高のタイミングで提供される。これは請求項１１に該当する。
【００４４】価格変更情報にしろ、リアルタイムＣＭ情報にしろ、これらの情報の訴求力は、そのまま端末１４／２０を持って（身に付けて）来店する顧客の数ですぐにわかるため、広告主はこのメディアの広告媒体として価値をひと目で確認でき、さらにそれらの販売促進情報に対しての顧客の反応に合わせて、刻々その情報を変更させていくことも可能にする。
【００４５】（５）図５において、価格が変更される商品、チケット、メニューを最低価格より高く購入する顧客２５に対して各小売店、映画館や劇場、飲食店等は、商品購入時等に無料作成するポイントカード２６サービスへの顧客勧誘を通して、顧客の氏名、購入商品、購入金額が、前記店舗の該コンピュータ１に繋がれた販売端末２７からインターネットを介して前記管理サーバ８の配信情報（販促情報）データベース８ｂにあるポイント情報データベースと顧客情報データベースにそれらの情報が記録される。
【００４６】その後、商品等の価格変更が実施され、最終的な最低販売価格になった段階で、その最低販売価格情報が前記管理サーバ８の配信情報（販促情報）データベース８ｂにあるポイント情報データベースに送信されると、前記管理サーバ８は顧客情報データベースから、最低販売価格となった商品をそれ以上の価格で購入した顧客情報を選択し、その購入金額と最低販売価格の価格差を獲得ポイントとして計算し、そのポイントを該顧客情報データベースに記録されていた既存ポイントに加算して、新しいその合計ポイントに対応する次回購入時の値引き価格を計算する。
【００４７】前記管理サーバ８は、該コンピュータ１に記憶されている該顧客２５の既存の獲得ポイントによる値引き価格情報を、上記の最新の値引き価格情報に書き替える。上記に示した一連のプロセスが、請求項１２の方法である。
【００４８】上記最新の値引き価格情報の顧客への伝達手段としては、商品購入時等に無料作成するポイントカード２６サービスへの顧客勧誘を通して、該顧客２５が持つブラウザフォン２０ａ、インターネットプロトコル電話等の端末２０ｂ、パーソナルコンピュータ２８等のアドレスを取得し、該コンピュータ１に繋がれた販売端末２７からインターネットを介して前記管理サーバ８の配信情報（販促情報）データベース８ｂにある顧客情報データベースに配信先アドレス情報が記録される。
【００４９】請求項１２の方法で決定された顧客の最新の値引き価格情報は、上記のアドレスをもとにして、インターネットを経由して該顧客２５が持つブラウザフォン２０ａ、インターネットプロトコル電話等の端末２０ｂ、パーソナルコンピュータ２８の各モニター上に前記最新の値引き価格情報が文字データとして表記２９され、これが請求項１３の方法である。
【００５０】また請求項１２の方法で決定された顧客の最新の値引き価格情報は、該顧客が持つポイントカード２６にも、該顧客からのカード提示を受けることで毎回更新され、販売端末２７のモニターに文字データとして表記される次回の値引き価格情報２９を顧客に告示することで、販売を促進させる方法が請求項１４である。
【００５１】さらに請求項１２の方法で決定された顧客の最新の値引き価格情報が、上記ポイントカード２６を提出して購入する顧客に対して、販売端末２７を通して顧客のレシート３０、または他の紙片（図表記省略）に、朱色他の目立つ色で印刷され、これは請求項１５に該当する。
【００５２】以上、本発明の特定の実施形態について説明したが、本発明の範囲、及び意図を逸脱することなく多くの修正を為す事が可能である。従って、上記の説明は限定的に解釈されるべきではなく、本発明の範囲は付属の請求項及びその均等物によってのみ定義される。
【００５３】
【発明の効果】本発明がもたらす効果は、物理的に限定された場所に共通の目的を持ち多数の人間が集まるあらゆるシーンにおいてリアルタイム放送を実現させ、それぞれの場所において、１モバイラーにとっては、その場にいる目的をさらに満足させ、広告を含めすべての情報が欲しい時に手に入るこれまでにない放送が享受でき、２放送実施者にとっては、該当場所への動員数のアップと顧客満足度のアップがはかれ、３広告提供者にとっては、小ロットでターゲットを明確にしたプロモーションを可能とすることでコスト効果を向上させ、即断即決を促進させるコンテクストマーケティングが実践でき、４放送制作者にとっては、持てる機材、人材、ノウハウの有効活用がそれぞれ可能となる。
【００５４】この放送はモバイラー自身が持つ端末に対してのマルチメディア配信と並行して、音声放送を受信できる極めて安価な端末を適当な端末を持たない人間に配付（販売）することで、多数のモバイルラーがその場で体験するリアルな体験を、さらに深く、楽しくさせる音声によるナビゲートが展開できる。
【００５５】さらにこの発明は、従来より連綿と続けられてきた、商習慣におけるメインストリームとも言える「常時定価販売」を、まさにドラスティックに変化させる可能性を秘めた販売促進法を内包していることで、単に放送という枠に留まらない、在庫や空席という商活動における根源的な問題を解決する手段として、リアル世界でのダイナミックな価格変更を商業活動の場にもたらす。
【図面の簡単な説明】
【図１】近接する２つの通信装置にピンポイントで放送をオンエア配信できる放送システム。
【図２】ｗｅｂサイト、携帯ｗｅｂサイト上にあるすべてのコンテンツを含むさまざまなメディアソースが、通信装置がデジタル、非デジタルの種類を問わずそれを持つモバイラーによって、移動する場所ごとにチャンネル、及び周波数を変更することなくシームレスにオンエア受信できる放送システム。
【図３】メディアソースを受信、増幅、発信できるワイヤレス携帯端末によるアドホック通信、およびプッシュでメディアソースを受信できるワイヤレス携帯端末に対する放送システム。
【図４】その瞬間、店舗付近にいるワイヤレス携帯端末を持った潜在顧客に、店舗サイドがリアルタイムで伝えたい情報を提供することで来店を誘導し、同時に該店舗内にいる前記端末を持たない顧客に、電子価格表示板を介して変更（ディスカウント）された価格を表示訴求する販売促進法。
【図５】価格変更によって不利益を感じる顧客へのフォローアップとしての、ポイントサービス法。
【符号の説明】
１      限定地域内外に設置されたコンピュータ
３      発信（発光）装置
４      通信装置
７      インターネット
１０ａ  ウェアラブルＦＭラジオ
８      管理サーバ
８ａ    配信情報（メディアソース）データベース
８ｂ    配信情報（販促情報）データベース
２１    リアルタイム販売促進情報
２４    電子価格表示板
２６    ポイントカード
２９    文字データとして表記される次回の値引き価格情報
【図１】
2004187249.tif 000003
【図２】
2004187249.tif 000004
【図３】
2004187249.tif 000005
【図４】
2004187249.tif 000006
【図５】
2004187249.tif 000007